(57)【要約】 【課題】最も安価に製造でき、大量保管も容易である携帯用簡易トイレを提供する。【解決手段】防水シート１１の一面適宜範囲に水分吸着部１２を設け、前記水分吸着部面を合わせて二つ折りにし、二つ折り基部対向箇所の側縁部分を接着して二つ折り基部の適宜範囲を袋状に形成すると共に、二つ折り状態の外側面端縁付近に、剥離テープで保護した粘着面（粘着部１４）を設けた汚物収納体１を備えてなり、前記汚物収納体と、折り畳み可能な扁平な細長箱で、且つ短手辺の一方の側壁を他の側壁より適宜高さ高く形成した便器体とで構成した。【選択図】図２
0003129078.tif 000002
【実用新案登録請求の範囲】
【請求項１】
防水シートの一面適宜範囲に水分吸着部を設け、前記水分吸着部面を合わせて二つ折りにし、二つ折り基部対向箇所の側縁部分を接着して二つ折り基部の適宜範囲を袋状に形成すると共に、二つ折り状態の外側面端縁付近に、剥離テープで保護した粘着面を設けた汚物収納体を備えてなることを特徴とする携帯用簡易トイレ。
【請求項２】
防水シートの一面適宜範囲に水分吸着部を設け、前記水分吸着部面を合わせて二つ折りにし、二つ折り基部対向箇所の側縁部分を接着して二つ折り基部の適宜範囲を袋状に形成すると共に、二つ折り状態の外側面端縁付近に、剥離テープで保護した粘着面を設けた汚物収納体と、折り畳み可能な扁平な細長箱で、且つ短手辺の一方の側壁を他の側壁より適宜高さ高く形成した便器体とで構成したことを特徴とする携帯用簡易トイレ。
【請求項３】
水分吸着部の形成範囲を、同一幅で、且つ二つ折り状態の一方の対向面側が、端縁に近く設けて、他方を防水シートの約１／２の範囲としてなる請求項１又は２記載の携帯用簡易トイレ。
【請求項４】
二つ折り状態で、二つ折り基部から１／４以下の範囲を袋状に形成してなる請求項３記載の携帯用簡易トイレ。
【考案の詳細な説明】
【技術分野】
【０００１】
本考案は、災害時の緊急用として使用されたり、キャンプなどのアウトドアで使用される携帯用簡易トイレに関するものである。
【背景技術】
【０００２】
従前より種々の携帯用簡易トイレが提案されているが、その基本的構成は、便器部と使い捨ての排泄物収納部とで構成されている。例えば特許文献１（特開２００２−２００００６号公報）には、折り畳み椅子構造で座部に便座が形成されている便器部と、前記座部に装着される便座シート及び便座シートの開口部の周囲に液密に接続された防水性収納袋からなる排泄物収納部（特許文献１、図６）で構成されている携帯用簡易トイレが開示されている。
【０００３】
また特許文献２（特開２００３−５２５７６号公報）には、規格製品であるペール缶及びペール缶の開口部に装着できる蓋付き便座で便器部を構成し、ペール缶内に装着する袋体を排泄物収納部としてなる災害時用・レジャー用の簡易トイレが開示されている。
【０００４】
また特許文献３（特開２００６−５１２９４号公報）には、蓋付きの防水性の箱型トイレ本体の内部に水分吸収材を配置し、使用後には接着部分を被覆していた剥離紙を取り除き、蓋を接着して汚物を密封し、廃棄する携帯用簡易トイレが開示されている。
【０００５】
【特許文献１】特開２００２−２００００６号公報。
【特許文献２】特開２００３−５２５７６号公報。
【特許文献３】特開２００６−５１２９４号公報。
【考案の開示】
【考案が解決しようとする課題】
【０００６】
特許文献１，２に開示されている携帯用簡易トイレは、相応の便器部を備えているもので、災害時のように大量に使用する場合を想定すると、全体が嵩張っているので、災害用として保管すること自体大変である。又レジャー用として考慮しても、製造原価の点から相応な価格となってしまう。
【０００７】
特許文献３に記載されている簡易トイレは、レジャー用としては優れていると認められるが、１回毎の使い捨てとなり、やはり災害時の一次的な大量使用には、保管の問題並びに経費の問題の点は解決されていない。
【０００８】
そこで本考案は、最も安価に製造でき、大量保管も容易である携帯用簡易トイレを提案したものである。
【課題を解決するための手段】
【０００９】
本考案に係る携帯用簡易トイレは、防水シートの一面適宜範囲に水分吸着部を設け、前記水分吸着部面を合わせて二つ折りにし、二つ折り基部対向箇所の側縁部分を接着して二つ折り基部の適宜範囲を袋状に形成すると共に、二つ折り状態の外側面端縁付近に、剥離テープで保護した粘着面を設けた汚物収納体を備えてなることを特徴とするものであり、また前記汚物収納体と、折り畳み可能な扁平な細長箱で、且つ短手辺の一方の側壁を他の側壁より適宜高さ高く形成した便器体とで構成したことを特徴とするものである。
【００１０】
而して便器体の内部に水分吸着部が表面側になるように汚物収納体を広げて被せ、和式風トイレとして使用するもので、使用後は、剥離テープを剥がして、二つ折り状態から四つ折りとし、更に両側縁を折込んだり、或いは両側縁を折り込んだ後、さらに四つ折りとするなどして折り畳み、しかも粘着面によってしっかりと折り畳み状態を維持するので、排泄物を防水シートで包み込んで廃棄することができる。適宜な浅型の容器が存在した場合には、便器体の代用として使用することもできる。
【考案の効果】
【００１１】
本考案は上記の構成であるから、一部のみが袋状となったシート体であり、嵩張らずに保管することができ、しかも安価に製造できるもので、災害用として最適であるとともに、簡単に携帯できる利点がある。
【考案を実施するための最良の形態】
【００１２】
次に本考案の実施の形態について説明する。実施形態に示した携帯用簡易トイレは、汚物収納体１と、便器体２とで構成される。
【００１３】
汚物収納体１（以下説明のために、全体を二つ折り状態の場合に一方Ａ側とし、他方をＢ側とする）は、防水シート１１と水分吸着部１２とカバー１３の三層構造で、防水シート１１は、二つ折りで縦横４０〜５０ｃｍ程度の大きさとしたものである。
【００１４】
水分吸着部１２及び透水性のカバー１３は、二つ折り内面に設けたもので、オムツなどに多用されている周知のもので、Ａ，Ｂ両側共に、防水シート１１の両側縁から５〜１０センチ内側の内方に設け、且つ二つ折り状態のＡ側の対向面においては、防水シート１１の上端縁から５〜１０センチ内側までに設け、Ｂ側を防水シート１１の約１／２の範囲に設けたもので、カバー１３は防水シート１１とほぼ同じ大きさとしてなるものである。
【００１５】
更に二つ折り状態で、二つ折り基部の対向側縁を、二つ折り基部（折返し部分）から５〜１０ｃｍ程度を接着（接着部１５）して二つ折り状態で、基部側の１／４以下の範囲を袋状に形成し、また防水シート１１の外側面の上端縁付近に粘着部１４を設けたものである。
【００１６】
前記粘着部１４は、粘着面を剥離テープで保護したもので、その形成位置は、図７で例示するような折り畳みに際して必要な箇所で、少なくとも一方側に２箇所、他方側に１箇所を備えていると便利である。
【００１７】
便器体２は、和式便器の大きさに対応するダンボール箱等で形成した折り畳み可能な扁平な細長箱で、前記汚物収納体１を広げた際に、防水シート１１がはみ出す程度のおおきさで、特に短手辺の一方の側壁（前壁）２１を、他の周側壁２２（６〜７ｃｍ）より高く（１５〜１７ｃｍ程度）形成したもので、前壁２１及び周側壁２２を底面２３上に折り畳み（図５参照）、更に扁平コの字状に折り畳みができるようにしているものである。
【００１８】
前記の汚物収納体１及び便器体２は、図４に例示するように、シート状の汚物収納体１を適宜大きさまで折り畳み（図５参照）、折り畳んだ便器体２に挟み込むようにして纏めると、図４に示すようにコンパクトな箱型状態となり、収納保管や携帯に便利な状態となる。尚汚物収納体１複数枚を、１個の便器体２に組み込むと便利である。
【００１９】
従って前記の折り畳み状態で災害対策用部材として保管したり、コンビニやアウトドア商品のショップで販売するものである。
【００２０】
そしてその使用は、図４の折り畳み状態から汚物収納体１と便器体２を離し、便器体２を箱形に組上げ（図３）、汚物収納体１は広げ（図２）、水分吸着部１２が表面側になるようにし、且つＡ側を前壁２１側となるように被せ（図６）、和式風トイレとして使用する。
【００２１】
使用後は、粘着部１４の剥離テープを剥がし或いは予め剥離テープを剥がしておき、二つ折り状態に戻すと、固形物は接着部１５によって形成された袋状の箇所に収納され、水分は水分吸着部１２に吸着され、汚物が零れ出ることがない状態となるので、図７に示すように、四つ折りとし、更に両側縁を折り込んだり、或いは両側縁を折り込んだ後、さらに四つ折りとするなど、粘着部１４の形成位置に対応した折り込みを実施して汚物収納体１を折り畳み、剥離テープを除去して露出した粘着面によってしっかりと折り畳み状態を維持する。
【００２２】
前記状態では、排泄物が防水シート１１内でしっかりと包み込まれているので、そのまま廃棄することができ、簡易トイレとして機能するものである。
【００２３】
尚便器体２の代用物が存在する場合には、特に便器体２と組み合わせなくとも、汚物収納体１のみでも充分に簡易トイレとして機能させることもできる。
【図面の簡単な説明】
【００２４】
【図１】本考案の実施形態の汚物収納体の斜視図（二つ折り状態）。
【図２】同図（開被状態）。
【図３】同便器体の全体斜視図。
【図４】同収納保管状態の斜視図。
【図５】同保管状態から使用状態への移行説明図。
【図６】同使用状態の説明図。
【図７】同使用後の廃棄手順説明図。
【符号の説明】
【００２５】
１          汚物収納体
１１        防水シート
１２        水分吸着部
１３        カバー
１４        粘着部
１５        接着部
２          便器体
２１        前壁
２２        周側壁
２３        底面
【図１】
0003129078.tif 000003
【図２】
0003129078.tif 000004
【図３】
0003129078.tif 000005
【図４】
0003129078.tif 000006
【図５】
0003129078.tif 000007
【図６】
0003129078.tif 000008
【図７】
0003129078.tif 000009